(57)【要約】  【課題】  スロットルバルブの全閉位置または全開位置への設定が補償され、スロットルバルブのスロットル開度に係わるスロットル開度センサからの出力値の信頼性を向上すること。  【解決手段】  スロットル開度センサからのセンサ出力電圧ＳＶが、スロットルバルブの全開位置ｏに対する上限電圧ＳＶo-Ｈと下限電圧ＳＶo-Ｌとの範囲内にあるときには全開位置ｏの出力値、また、全閉位置ｓに対する上限電圧ＳＶs-Ｈと下限電圧ＳＶs-Ｌとの範囲内にあるときには、全閉位置ｓの出力値としてそれぞれ取込まれる。このため、センサ出力電圧ＳＶが取込まれる際の、スロットルバルブの全開位置ｏ、全閉位置ｓへの設定が補償され、スロットルバルブのスロットル開度に係わるスロットル開度センサからの出力値の信頼性を向上することができる。  【選択図】図２
2006022805.tif 000002
【特許請求の範囲】
【請求項１】
内燃機関の吸気通路に配設され、前記内燃機関に供給する吸入空気量を調節するスロットルバルブと、前記スロットルバルブのスロットル開度に係わる出力値を検出するスロットル開度センサとを備えたセンサ出力調整方法であって、
前記スロットルバルブを第１の任意の開度位置またはそれと異なる第２の任意の開度位置のうち少なくとも１つの開度位置に対応して回転させる第１の工程と、
前記第１の工程による前記第１の任意の開度位置または前記第２の任意の開度位置に対する前記スロットル開度センサからの出力値が、前記第１の任意の開度位置または前記第２の任意の開度位置に対して予め設定された上下限範囲内にあるとき、その出力値を取込む第２の工程と、
前記第２の工程で取込まれた前記スロットル開度センサからの出力値に基づき前記スロットルバルブのスロットル開度との関係を設定する第３の工程と
からなることを特徴とするセンサ出力調整方法。
【請求項２】
前記第１の任意の開度位置は、全閉位置またはその近くの開度位置、前記第２の任意の開度位置は、全開位置またはその近くの開度位置に設定することを特徴とする請求項１に記載のセンサ出力調整方法。
【請求項３】
前記第２の工程は、前記スロットル開度センサからの出力値の所定期間内のばらつき幅が所定値以内であるとき、その出力値を取込むことを特徴とする請求項１または請求項２に記載のセンサ出力調整方法。
【請求項４】
前記上下限範囲は、前記スロットル開度センサの取付誤差による出力値の変動を許容するよう設定することを特徴とする請求項１乃至請求項３の何れか１つに記載のセンサ出力調整方法。
【請求項５】
前記第２の任意の開度位置に対する上下限範囲は、前記第１の任意の開度位置に対する上下限範囲よりも広く設定することを特徴とする請求項１乃至請求項４の何れか１つに記載のセンサ出力調整方法。
【請求項６】
前記ばらつき幅は、前記上下限範囲よりも狭く設定することを特徴とする請求項３に記載のセンサ出力調整方法。
【発明の詳細な説明】
【技術分野】
【０００１】
本発明は、内燃機関に供給する吸入空気量を調節するスロットルバルブのスロットル開度に係わるスロットル開度センサからの出力値を取込む際のセンサ出力調整方法に関するものである。
【背景技術】
【０００２】
従来、センサ出力調整方法に関連する先行技術文献としては、特開２００２−１４７２７３号公報にて開示されたものが知られている。このものでは、スロットルバルブ（スロットル弁）が機械的（機構的）に設定されている全閉位置と全開位置とにおけるスロットル開度センサからの出力値（出力信号）を基準にして、その範囲におけるスロットル開度センサの出力値とスロットルバルブのスロットル開度との関係を求める技術が示されている。
【特許文献１】特開２００２−１４７２７３号公報（第２頁）
【発明の開示】
【発明が解決しようとする課題】
【０００３】
ところで、前述のものでは、スロットルバルブを回転させ全閉位置または全開位置に設定したとしても、実際の設定位置が全閉位置または全開位置となっている補償はない。このとき、例えば、異物が介在していたり、機械的な取付誤差（部品公差等を含む）が存在していたりすると、基準とするスロットル開度センサからの出力値に誤差が発生してしまうこととなる。この結果、スロットル開度センサの出力値とスロットルバルブのスロットル開度との関係に誤差要因が重畳することとなり、スロットルバルブのスロットル開度に係わるスロットル開度センサからの出力値の信頼性が低下するという不具合があった。
【０００４】
そこで、この発明はかかる不具合を解決するためになされたもので、スロットルバルブの全閉位置または全開位置への設定が補償され、スロットルバルブのスロットル開度に係わるスロットル開度センサからの出力値の信頼性を向上可能なセンサ出力調整方法の提供を課題としている。
【課題を解決するための手段】
【０００５】
請求項１のセンサ出力調整方法によれば、第１の工程で内燃機関に供給される吸入空気量を調節するスロットルバルブが第１の任意の開度位置または第２の任意の開度位置のうち少なくとも１つの開度位置に対応され回転される。次に、第２の工程で、この際、スロットル開度センサからの出力値が、第１の任意の開度位置または第２の任意の開度位置に対して予め設定された上下限範囲内にあるとき、スロットル開度センサからの出力値が取込まれる。第３の工程で、取込まれたスロットル開度センサからの出力値に基づいてスロットルバルブのスロットル開度との関係が設定される。このため、スロットル開度センサからの出力値が取込まれる際の、スロットルバルブの第１の任意の開度位置または第２の任意の開度位置への設定が補償され、この第１の任意の開度位置または第２の任意の開度位置に対するスロットル開度センサからの出力値が適切に取込まれることで、スロットルバルブのスロットル開度に係わるスロットル開度センサからの出力値の信頼性が向上され、このスロットル開度センサからの出力値とスロットルバルブのスロットル開度との関係が良好に設定されるという効果が得られる。
【０００６】
請求項２のセンサ出力調整方法では、第１の任意の開度位置が全閉位置またはその近くの開度位置、第２の任意の開度位置が全開位置またはその近くの開度位置に設定される。このように、第１の任意の開度位置または第２の任意の開度位置が、スロットルバルブが回転されたときに取得る開度位置のうち、予め信頼性の高い開度位置に設定されることで、スロットル開度センサからの出力値とスロットルバルブのスロットル開度との関係が設定されたのちにおいて、スロットル開度センサからの出力値に対するスロットルバルブのスロットル開度における高い信頼性が得られる。
【０００７】
請求項３のセンサ出力調整方法における第２の工程では、スロットル開度センサからの出力値が第１の任意の開度位置または第２の任意の開度位置に対する上下限範囲内に加え、その出力値の所定期間内のばらつき幅が所定値以内と安定していれば、スロットルバルブが第１の任意の開度位置または第２の任意の開度位置となっていることが確実に分かるという効果が得られる。
【０００８】
請求項４のセンサ出力調整方法では、上下限範囲がスロットル開度センサの取付誤差による出力値の変動を許容するよう設定される。これにより、スロットル開度センサからの出力値が第１の任意の開度位置または第２の任意の開度位置に対する上下限範囲にあれば、スロットル開度センサ等が取付状態を含めて正常であると分かり、一方、上下限範囲を越えているときにはスロットル開度センサ等に何らかの異常があると分かるという効果が得られる。
【０００９】
請求項５のセンサ出力調整方法では、第２の任意の開度位置に対する上下限範囲が第１の任意の開度位置に対する上下限範囲よりも広く設定される。これは、スロットルバルブの開度誤差は、全閉位置またはその近くの開度位置に設定された第１の任意の開度位置では吸入空気量に大きく影響し、全開位置またはその近くの開度位置に設定された第２の任意の開度位置では吸入空気量にそれほど影響しないというスロットル特性を考慮したものである。これにより、スロットルバルブに開度誤差があったとしても、スロットル開度センサからの出力値が、第１の任意の開度位置または第２の任意の開度位置に対して予め設定された上下限範囲に良好に納まることとなり、このスロットル開度センサからの出力値に基づくスロットルバルブの全閉位置または全開位置への設定が補償されるという効果が得られる。
【００１０】
請求項６のセンサ出力調整方法では、ばらつき幅が上下限範囲よりも狭く設定される。このように、スロットル開度センサからの出力値のばらつき幅が第１の任意の開度位置または第２の任意の開度位置に対する上下限範囲よりも狭く設定されていることで、通常のセンサ出力調整で、スロットル開度センサの取付誤差等を考慮しても、そのばらつき幅が第１の任意の開度位置または第２の任意の開度位置に対する上下限範囲を逸脱することはないため、このスロットル開度センサからの出力値に基づくスロットルバルブの全閉位置または全開位置への設定が補償されるという効果が得られる。
【発明を実施するための最良の形態】
【００１１】
以下、本発明を実施するための最良の形態を実施例に基づいて説明する。
【００１２】
図１は本発明の一実施例にかかるセンサ出力調整方法が適用されたスロットルボデーを示す概略構成図である。ここで、図１（ａ）はスロットルボデーを吸気方向から見た正面図、図１（ｂ）は図１（ａ）の側面図である。
【００１３】
図１（ａ）及び図１（ｂ）において、スロットルボデー１０には、図示しない内燃機関の吸気通路に接続される吸気孔１１が穿設されており、この吸気孔１１に対して直角方向にスロットル軸１２が回転自在に軸支されている。そして、スロットル軸１２にはスロットルバルブ１５が固設されている。
【００１４】
このスロットル軸１２の一端にはリターンスプリング１６が配設されている。このリターンスプリング１６の付勢力によりスロットル軸１２に固設されたスロットルバルブ１５には、その開度位置を位置決めするための位置決めレバー２１が、スロットル軸１２の他端に配設されている後述のスロットル開度センサ１８側と同軸上に固設されている。このスロットルバルブ１５に固設された位置決めレバー２１が、初期位置としてのスロットルボデー１０側に設けられた全閉位置ストッパ２２に当接されることにより、図１（ｂ）に破線にて示すように、スロットルバルブ１５が全閉位置ｓに機械的に位置決めされる。また、スロットル軸１２がリターンスプリング１６の付勢力に打勝って回転されることでスロットルバルブ１５に固設された位置決めレバー２１は開方向（図１（ｂ）に示す破線矢印方向）に回転され、最終的にスロットルボデー１０側に設けられた全開位置ストッパ２３に当接されることにより、図１（ｂ）に二点鎖線にて示すように、スロットルバルブ１５が全開位置ｏに機械的に位置決めされる。
【００１５】
また、スロットル軸１２の他端に配設されているスロットル開度センサ１８からは、周知のように、スロットルバルブ１５の開度位置に応じた摺動接点と摺動抵抗体との接触位置の変化により基準電圧が分圧され、出力値としてのセンサ出力電圧が得られる。このスロットル開度センサ１８からのセンサ出力電圧によって後述のように、スロットルバルブ１５のスロットル開度を算出するための特性図が得られる。
【００１６】
次に、本発明の一実施例にかかるセンサ出力調整方法が適用されたスロットルボデー１０を用いて、スロットルバルブ１５の回転に伴う開度位置をスロットル開度センサ１８からの出力値として取込む場合について、図１及び図２を参照して説明する。なお、図２ではスロットル開度センサ１８に対する基準電圧を５〔Ｖ：ボルト〕としている。
【００１７】
図１及び図２において、まず、スロットル軸１２を開方向に回転させ、スロットルバルブ１５に固設された位置決めレバー２１を全開位置ストッパ２３に当接させることで全開位置ｏにする。このとき、図２に示すように、スロットル開度センサ１８からのセンサ出力電圧ＳＶ〔Ｖ〕は、全開位置ｏに対する電圧値まで上昇する。このときのセンサ出力電圧ＳＶが、全開位置ｏに対して予め設定された上限電圧ＳＶo-Ｈ（＝４．２〔Ｖ〕）と全開位置ｏに対して予め設定された下限電圧ＳＶo-Ｌ（＝３．８〔Ｖ〕）との範囲内にあるかが判定される。
【００１８】
ここで、センサ出力電圧ＳＶが全開位置ｏに対する上限電圧ＳＶo-Ｈと下限電圧ＳＶo-Ｌとの範囲内にあるときには、所定期間内として時間Ｔ1 （＝１〔ｓｅｃ：秒〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され全開位置ｏのセンサ出力電圧ＳＶo として取込まれる。
【００１９】
次に、スロットル軸１２を閉方向に回転させ、スロットルバルブ１５に固設された位置決めレバー２１を全閉位置ストッパ２２に当接させることで全閉位置ｓにする。このとき、図２に示すように、スロットル開度センサ１８からのセンサ出力電圧ＳＶ〔Ｖ〕は、全閉位置ｓに対する電圧値まで下降する。このときのセンサ出力電圧ＳＶが、全閉位置ｓに対して予め設定された上限電圧ＳＶs-Ｈ（＝０．８〔Ｖ〕）と全閉位置ｓに対して予め設定された下限電圧ＳＶs-Ｌ（＝０．６〔Ｖ〕）との範囲内にあるかが判定される。
【００２０】
ここで、センサ出力電圧ＳＶが全閉位置ｓに対する上限電圧ＳＶs-Ｈと下限電圧ＳＶs-Ｌとの範囲内にあるときには、所定期間内として時間Ｔ2 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され全閉位置ｓのセンサ出力電圧ＳＶs として取込まれる。
【００２１】
上述のように、スロットル開度センサ１８によりスロットルバルブ１５に対する設定が補償された全開位置ｏにおけるセンサ出力電圧ＳＶo とスロットルバルブ１５に対する設定が補償された全閉位置ｓにおけるセンサ出力電圧ＳＶs とが取込まれることで、図３に示すような特性図が得られる。ここで、全開位置ｏのセンサ出力電圧ＳＶo に対するスロットル開度ＴＡを１００（全開）〔％：パーセント〕、全閉位置ｓのセンサ出力電圧ＳＶs に対するスロットル開度ＴＡを０（全閉）〔％〕とすると、センサ出力電圧ＳＶ〔Ｖ〕に対するスロットル開度ＴＡ〔％〕が次式（１）にて算出されることとなる。
【００２２】
［数１］
ＴＡ＝｛（ＳＶ−ＳＶs ）／（ＳＶo −ＳＶs ）｝×１００          ・・・（１）
【００２３】
これによれば、スロットル開度センサ１８からのセンサ出力電圧ＳＶの信頼性が向上され、このセンサ出力電圧ＳＶに基づいて得られるスロットルバルブ１５のスロットル開度ＴＡの信頼性を向上することができる。
【００２４】
このように、本実施例のセンサ出力調整方法が適用されたスロットルボデー１０は、図示しない内燃機関の吸気通路に配設され、内燃機関に供給する吸入空気量を調節するスロットルバルブ１５と、スロットルバルブ１５のスロットル開度ＴＡに係わる出力値であるセンサ出力電圧ＳＶを検出するスロットル開度センサ１８とを備えており、スロットルバルブ１５を第２の任意の開度位置としての全開位置ｏ、第１の任意の開度位置としての全閉位置ｓに対応して回転させる第１の工程と、前記第１の工程による全開位置ｏ、全閉位置ｓに対するスロットル開度センサ１８からのセンサ出力電圧ＳＶが、全開位置ｏに対して予め設定された上下限範囲内としての上限電圧ＳＶo-Ｈと下限電圧ＳＶo-Ｌとの範囲内、全閉位置ｓに対して予め設定された上下限範囲内としての上限電圧ＳＶs-Ｈと下限電圧ＳＶs-Ｌとの範囲内にあるとき、そのセンサ出力電圧ＳＶを取込む第２の工程と、前記第２の工程で取込まれたスロットル開度センサ１８からの全開位置ｏのセンサ出力電圧ＳＶo 、全閉位置ｓのセンサ出力電圧ＳＶs に基づきスロットルバルブ１５のスロットル開度ＴＡとの関係を設定する第３の工程とからなるものである。
【００２５】
つまり、スロットルバルブ１５を全開位置ｏ、全閉位置ｓに対応させ回転させたときのスロットル開度センサ１８からのセンサ出力電圧ＳＶが取込まれる。この際、まず、スロットル開度センサ１８からのセンサ出力電圧ＳＶが、全開位置ｏに対する上限電圧ＳＶo-Ｈと下限電圧ＳＶo-Ｌとの範囲内にあるかが判定され、次に、全閉位置ｓに対する上限電圧ＳＶs-Ｈと下限電圧ＳＶs-Ｌとの範囲内にあるかが判定される。これらを満足するときのスロットル開度センサ１８からのセンサ出力電圧ＳＶが全開位置ｏのセンサ出力電圧ＳＶo 、全閉位置ｓのセンサ出力電圧ＳＶs としてそれぞれ取込まれる。そして、取込まれた全開位置ｏのセンサ出力電圧ＳＶo 、全閉位置ｓのセンサ出力電圧ＳＶs に基づきスロットル開度センサ１８からのセンサ出力電圧ＳＶに対するスロットルバルブ１５のスロットル開度ＴＡとの関係（関数）が設定される。
【００２６】
このため、スロットル開度センサ１８からのセンサ出力電圧ＳＶが取込まれる際の、スロットルバルブ１５の全開位置ｏ、全閉位置ｓへの設定が補償され、この全開位置ｏに対するスロットル開度センサ１８からのセンサ出力電圧ＳＶo 、全閉位置ｓに対するスロットル開度センサ１８からのセンサ出力電圧ＳＶs が適切に取込まれることで、スロットルバルブ１５のスロットル開度ＴＡに係わるスロットル開度センサ１８からのセンサ出力電圧ＳＶの信頼性を向上することができ、このスロットル開度センサ１８からのセンサ出力電圧ＳＶとスロットルバルブ１５のスロットル開度ＴＡとの関係を良好に設定することができる。
【００２７】
また、本実施例のセンサ出力調整方法の第２の工程は、スロットル開度センサ１８からのセンサ出力電圧ＳＶの所定期間内として時間Ｔ1 ，Ｔ2 内のばらつき幅ΔＳＶが所定値以内であるとき、そのセンサ出力電圧ＳＶを取込むものである。通常、基準電圧は極めて変動が小さく安定性を有していることから、スロットルバルブ１５に固設された位置決めレバー２１が第２の任意の開度位置を設定するための全開位置ストッパ２３や第１の任意の開度位置を設定するための全閉位置ストッパ２２に当接した状態にあっては、スロットル開度センサ１８からのセンサ出力電圧ＳＶの変動は、ばらつき幅ΔＳＶの所定値として０．０２〔Ｖ〕以内に十分納まるものである。このため、安全を見込んで所定期間内として１〔ｓｅｃ〕間におけるばらつき幅ΔＳＶが０．０２〔Ｖ〕以内と安定しているときには、スロットルバルブ１５が全開位置ｏまたは全閉位置ｓとなっていると確実に判定することができる。
【００２８】
そして、本実施例のセンサ出力調整方法は、上下限範囲として第２の任意の開度位置としての全開位置ｏに対する上限電圧ＳＶo-Ｈと下限電圧ＳＶo-Ｌとの範囲、第１の任意の開度位置としての全閉位置ｓに対する上限電圧ＳＶs-Ｈと下限電圧ＳＶs-Ｌとの範囲を、スロットル開度センサ１８の取付誤差によるセンサ出力電圧ＳＶの変動を許容するよう設定するものである。つまり、スロットルボデー１０に設定された全開位置ストッパ２３及び全閉位置ストッパ２２に当接する位置決めレバー２１が固設されたスロットルバルブ１５、このスロットルバルブ１５が固設されスロットルボデー１０に軸支されたスロットル軸１２、このスロットル軸１２の回転を検出するスロットルボデー１０に取付けられたスロットル開度センサ１８等の各部品公差を含めた取付誤差によるセンサ出力電圧ＳＶの変動が考えられる。
【００２９】
したがって、この変動に起因するセンサ出力電圧ＳＶが、全開位置ｏに対する上限電圧ＳＶo-Ｈと下限電圧ＳＶo-Ｌとの範囲及び全閉位置ｓに対する上限電圧ＳＶs-Ｈと下限電圧ＳＶs-Ｌとの範囲を越えないよう上下限範囲が予め設定される。これにより、全閉位置ｓ、全開位置ｏに対するスロットル開度センサ１８からのセンサ出力電圧ＳＶが上下限範囲にあれば、スロットル開度センサ１８等が取付状態を含めて正常であると判定することができ、一方、上下限範囲を越えているときにはスロットル開度センサ１８等に何らかの異常があると判定することができる。
【００３０】
更に、本実施例のセンサ出力調整方法は、第２の任意の開度位置としての全開位置ｏに対する上下限範囲としての上限電圧ＳＶo-Ｈと下限電圧ＳＶo-Ｌとの範囲を、第１の任意の開度位置としての全閉位置ｓに対する上下限範囲としての上限電圧ＳＶs-Ｈと下限電圧ＳＶs-Ｌとの範囲よりも広く設定するものである。つまり、全開位置ｏに対する上限電圧ＳＶo-Ｈ（＝４．２〔Ｖ〕）と下限電圧ＳＶo-Ｌ（＝３．８〔Ｖ〕）とで設定された上下限範囲は、その差分の０．４〔Ｖ〕であり、全閉位置ｓに対する上限電圧ＳＶs-Ｈ（＝０．８〔Ｖ〕）と下限電圧ＳＶs-Ｌ（＝０．６〔Ｖ〕）とで設定された上下限範囲は、その差分の０．２〔Ｖ〕よりも広く設定されている。
【００３１】
これは、スロットルバルブ１５の開度誤差は、全閉位置ｓ付近では吸入空気量に大きく影響し、全開位置ｏ付近では吸入空気量にそれほど影響しないというスロットル特性を考慮したものである。これにより、スロットルバルブ１５に開度誤差があったとしても、スロットル開度センサ１８からのセンサ出力電圧ＳＶが、全開位置ｏ、全閉位置ｓに対して予め設定された上下限範囲に良好に納まることとなり、このときのスロットルバルブ１５の全開位置ｏまたは全閉位置ｓへの設定を補償することができる。
【００３２】
更にまた、本実施例のセンサ出力調整方法は、ばらつき幅ΔＳＶを第２の任意の開度位置としての全開位置ｏに対する上下限範囲としての上限電圧ＳＶo-Ｈと下限電圧ＳＶo-Ｌとの範囲、第１の任意の開度位置としての全閉位置ｓに対する上下限範囲としての上限電圧ＳＶs-Ｈと下限電圧ＳＶs-Ｌとの範囲よりも狭く設定するものである。つまり、ばらつき幅ΔＳＶ（＝０．０２〔Ｖ〕）は、全開位置ｏに対する上限電圧ＳＶo-Ｈ（＝４．２〔Ｖ〕）と下限電圧ＳＶo-Ｌ（＝３．８〔Ｖ〕）との範囲である差分の０．４〔Ｖ〕よりも十分に狭く、全閉位置ｓに対する上限電圧ＳＶs-Ｈ（＝０．８〔Ｖ〕）と下限電圧ＳＶs-Ｌ（＝０．６〔Ｖ〕）との範囲である差分の０．２〔Ｖ〕よりも十分に狭く設定されている。
【００３３】
このように、スロットル開度センサ１８からのセンサ出力電圧ＳＶのばらつき幅ΔＳＶが全開位置ｏ、全閉位置ｓに対する上下限範囲よりも十分に狭く設定されていることで、通常のセンサ出力調整で、スロットル開度センサ１８の取付誤差等を考慮しても、そのばらつき幅ΔＳＶが全開位置ｏ、全閉位置ｓに対する上下限範囲を逸脱することはないため、スロットル開度センサ１８からのセンサ出力電圧ＳＶに基づくスロットルバルブ１５の全開位置ｏまたは全閉位置ｓへの設定を補償することができる。
【００３４】
ところで、上記実施例では、全開位置ｏの上限電圧ＳＶo-Ｈ及び下限電圧ＳＶo-Ｌ、全閉位置ｓの上限電圧ＳＶs-Ｈ及び下限電圧ＳＶs-Ｌ、時間Ｔ1 ，Ｔ2 、ばらつき幅ΔＳＶ等に具体的な数値を設定して説明しているが、本発明を実施する場合には、これに限定されるものではなく、スロットル開度センサ１８に対する基準電圧や必要とされる検出精度等に応じて適宜、設定できるものである。
【００３５】
また、上記実施例では、スロットルバルブ１５を全開位置ｏ、次に全閉位置ｓに対応して回転させたときのスロットル開度センサ１８からのセンサ出力電圧ＳＶを取込んでいるが、本発明を実施する場合には、これに限定されるものではなく、スロットルバルブ１５を全閉位置ｓまたは全開位置ｏのうち何れか１つの開度位置、上述のスロットル特性によって、どちらかと言えば全閉位置ｓに対応して回転させたときのスロットル開度センサ１８からのセンサ出力電圧ＳＶを取込み、他方の開度位置についてはその間の角度差に対する電圧変化量が予め分かっていれば、図３とほぼ同等の信頼性を有する特性図を得ることができる。
【００３６】
次に、本発明の一実施例にかかるセンサ出力調整方法が適用されたスロットルボデー１０でスロットルバルブ１５に対する開度位置の調整にアダプタを用いた変形例について、図４に示す概略構成図を参照して説明する。ここで、図４（ａ）はスロットルボデー１０を吸気方向から見た正面図、図４（ｂ）は図４（ａ）の側面図である。なお、図中、上述の実施例と同様の構成または相当部分からなるものについては同一符号及び同一記号を付し、その詳細な説明を省略する。
【００３７】
本変形例では、図４に示すように、スロットルボデー１０でスロットルバルブ１５に対して開度位置を調整するために、スロットルボデー１０側に設けられた全閉位置ストッパ２２には、その全閉位置ｓを基準としてその近くの第１の任意の開度位置である任意の開度位置ａを設定するためのアダプタ２４ａ、また、全開位置ストッパ２３には、その全開位置ｏを基準としてその近くの第２の任意の開度位置である任意の開度位置ｂを設定するためのアダプタ２４ｂがそれぞれ取付けられている。なお、アダプタ２４ａ，２４ｂは調整終了後、取外されるため、図４では二点鎖線にて示してある。
【００３８】
これにより、スロットルバルブ１５に固設された位置決めレバー２１が、全閉位置ストッパ２２に取付られたアダプタ２４ａに当接されると、全閉位置ストッパ２２による全閉位置ｓに対して予め設定された所定開度が加算された任意の開度位置ａに機械的に位置決めされる。また、スロットルバルブ１５に固設された位置決めレバー２１が、全開位置ストッパ２３に取付られたアダプタ２４ｂに当接されると、全開位置ストッパ２３による全開位置ｏに対して予め設定された所定開度が減算された任意の開度位置ｂに機械的に位置決めされる。
【００３９】
次に、本変形例におけるスロットルボデー１０を用いて、スロットルバルブ１５の回転に伴う開度位置をスロットル開度センサ１８からの出力値として取込む場合について、図４及び図５を参照して説明する。
【００４０】
図４及び図５において、まず、スロットル軸１２を開方向に回転させ、スロットルバルブ１５に固設された位置決めレバー２１を全開位置ストッパ２３に取付られたアダプタ２４ｂに当接させることで任意の開度位置ｂにする。このとき、図５に示すように、スロットル開度センサ１８からのセンサ出力電圧ＳＶ〔Ｖ〕は、任意の開度位置ｂに対する電圧値まで上昇する。このときのセンサ出力電圧ＳＶが、任意の開度位置ｂに対して予め設定された上限電圧ＳＶb-Ｈと任意の開度位置ｂに対して予め設定された下限電圧ＳＶb-Ｌとの範囲内にあるかが判定される。
【００４１】
ここで、センサ出力電圧ＳＶが任意の開度位置ｂに対する上限電圧ＳＶb-Ｈと下限電圧ＳＶb-Ｌとの範囲内にあるときには、所定期間内として時間Ｔ1 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され任意の開度位置ｂのセンサ出力電圧ＳＶb として取込まれる。
【００４２】
次に、スロットル軸１２を閉方向に回転させ、スロットルバルブ１５に固設された位置決めレバー２１を全閉位置ストッパ２２に取付けられたアダプタ２４ａに当接させることで任意の開度位置ａにする。このとき、図５に示すように、スロットル開度センサ１８からのセンサ出力電圧ＳＶ〔Ｖ〕は、任意の開度位置ａに対する電圧値まで下降する。このときのセンサ出力電圧ＳＶが、任意の開度位置ａに対して予め設定された上限電圧ＳＶa-Ｈと任意の開度位置ａに対して予め設定された下限電圧ＳＶa-Ｌとの範囲内にあるかが判定される。
【００４３】
ここで、センサ出力電圧ＳＶが任意の開度位置ａに対する上限電圧ＳＶa-Ｈと下限電圧ＳＶa-Ｌとの範囲内にあるときには、所定期間内として時間Ｔ2 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され任意の開度位置ａのセンサ出力電圧ＳＶa として取込まれる。
【００４４】
上述のように、スロットル開度センサ１８によりスロットルバルブ１５に対する設定が補償された任意の開度位置ｂにおけるセンサ出力電圧ＳＶb とスロットルバルブ１５に対する設定が補償された任意の開度位置ａにおけるセンサ出力電圧ＳＶa とが取込まれることで、図６に示すような特性図が得られる。ここで、任意の開度位置ｂのセンサ出力電圧ＳＶb に対するスロットル開度ＴＡをＴＡb 〔％〕、任意の開度位置ａのセンサ出力電圧ＳＶa に対するスロットル開度ＴＡをＴＡa 〔％〕とすると、センサ出力電圧ＳＶ〔Ｖ〕に対するスロットル開度ＴＡ〔％〕が次式（２）にて算出されることとなる。
【００４５】
［数２］
ＴＡ＝｛（ＳＶ−ＳＶa ）／（ＳＶb −ＳＶa ）｝×（ＴＡb −ＴＡa ）＋ＴＡa 
・・・（２）
【００４６】
これによれば、スロットル開度センサ１８からのセンサ出力電圧ＳＶの信頼性が向上され、このセンサ出力電圧ＳＶに基づいて得られるスロットルバルブ１５のスロットル開度ＴＡの信頼性を向上することができる。
【００４７】
このように、本変形例のセンサ出力調整方法が適用されたスロットルボデー１０は、図示しない内燃機関の吸気通路に配設され、内燃機関に供給する吸入空気量を調節するスロットルバルブ１５と、スロットルバルブ１５のスロットル開度ＴＡに係わる出力値であるセンサ出力電圧ＳＶを検出するスロットル開度センサ１８とを備えており、スロットルバルブ１５を全開位置ｏの近くに設定された第２の任意の開度位置である任意の開度位置ｂと全閉位置ｓの近くに設定された第１の任意の開度位置である任意の開度位置ａとに対応して回転させる第１の工程と、前記第１の工程による任意の開度位置ｂと任意の開度位置ａとに対するスロットル開度センサ１８からのセンサ出力電圧ＳＶが、任意の開度位置ｂに対して予め設定された上下限範囲内としての上限電圧ＳＶb-Ｈと下限電圧ＳＶb-Ｌとの範囲内、任意の開度位置ａに対して予め設定された上下限範囲内としての上限電圧ＳＶa-Ｈと下限電圧ＳＶa-Ｌとの範囲内にあるとき、そのセンサ出力電圧ＳＶを取込む第２の工程と、前記第２の工程で取込まれたスロットル開度センサ１８からの任意の開度位置ｂのセンサ出力電圧ＳＶb 、任意の開度位置ａのセンサ出力電圧ＳＶa に基づきスロットルバルブ１５のスロットル開度ＴＡとの関係を設定する第３の工程とからなるものである。
【００４８】
つまり、スロットルバルブ１５を全開位置ｏの近くに設定された第２の任意の開度位置である任意の開度位置ｂと全閉位置ｓの近くに設定された第１の任意の開度位置である任意の開度位置ａとに対応させ回転させたときのスロットル開度センサ１８からのセンサ出力電圧ＳＶが取込まれる。この際、まず、スロットル開度センサ１８からのセンサ出力電圧ＳＶが、任意の開度位置ｂに対する上限電圧ＳＶb-Ｈと下限電圧ＳＶb-Ｌとの範囲内にあるかが判定され、次に、任意の開度位置ａに対する上限電圧ＳＶa-Ｈと下限電圧ＳＶa-Ｌとの範囲内にあるかが判定される。これらを満足するときのスロットル開度センサ１８からのセンサ出力電圧ＳＶが任意の開度位置ｂのセンサ出力電圧ＳＶb 、任意の開度位置ａのセンサ出力電圧ＳＶa としてそれぞれ取込まれる。そして、取込まれた任意の開度位置ｂのセンサ出力電圧ＳＶb 、任意の開度位置ａのセンサ出力電圧ＳＶa に基づきスロットル開度センサ１８からのセンサ出力電圧ＳＶに対するスロットルバルブ１５のスロットル開度ＴＡとの関係（関数）が設定される。
【００４９】
このため、スロットル開度センサ１８からのセンサ出力電圧ＳＶが取込まれる際の、スロットルバルブ１５の全開位置ｏを基準とする任意の開度位置ｂ、全閉位置ｓを基準とする任意の開度位置ａへの設定が補償され、この任意の開度位置ｂに対するスロットル開度センサ１８からのセンサ出力電圧ＳＶb 、任意の開度位置ａに対するスロットル開度センサ１８からのセンサ出力電圧ＳＶa が適切に取込まれることで、スロットルバルブ１５のスロットル開度ＴＡに係わるスロットル開度センサ１８からのセンサ出力電圧ＳＶの信頼性を向上することができ、このスロットル開度センサ１８からのセンサ出力電圧ＳＶとスロットルバルブ１５のスロットル開度ＴＡとの関係を良好に設定することができる。
【００５０】
ところで、上記変形例では、スロットルバルブ１５に固設された位置決めレバー２１を全開位置ストッパ２３に対して取付けられているアダプタ２４ｂで設定された任意の開度位置ｂ、次に全閉位置ストッパ２２に対して取付けられているアダプタ２４ａで設定された任意の開度位置ａに対応して回転させたときのスロットル開度センサ１８からのセンサ出力電圧ＳＶを取込んでいるが、本発明を実施する場合には、これに限定されるものではなく、例えば、図４に示す全閉位置ストッパ２２に取付けられ、その全閉位置ｓを基準として任意の開度位置ａを設定するためのアダプタ２４ａを使用せず最初から取外した状態で、元の全閉位置ストッパ２２による全閉位置ｓを用いることもできる。
【００５１】
そこで、このスロットルボデー１０を用いて、スロットルバルブ１５の回転に伴う開度位置をスロットル開度センサ１８からの出力値として取込む場合について、図７及び図８を参照して説明する。なお、この場合には、図４において、全開位置ｏを基準としてその近くの第２の任意の開度位置である任意の開度位置ｃを設定するためのアダプタ２４ｃ（図示略）を、アダプタ２４ｂに替えて全開位置ストッパ２３に取付けて用いることとする。
【００５２】
図７及び図８において、まず、スロットル軸１２を開方向に回転させ、スロットルバルブ１５に固設された位置決めレバー２１を全開位置ストッパ２３に取付られたアダプタ２４ｃに当接させることで任意の開度位置ｃにする。このとき、図７に示すように、スロットル開度センサ１８からのセンサ出力電圧ＳＶ〔Ｖ〕は、任意の開度位置ｃに対する電圧値まで上昇する。このときのセンサ出力電圧ＳＶが、任意の開度位置ｃに対して予め設定された上限電圧ＳＶc-Ｈと任意の開度位置ｃに対して予め設定された下限電圧ＳＶc-Ｌとの範囲内にあるかが判定される。
【００５３】
ここで、センサ出力電圧ＳＶが任意の開度位置ｃに対する上限電圧ＳＶc-Ｈと下限電圧ＳＶc-Ｌとの範囲内にあるときには、所定期間内として時間Ｔ1 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され任意の開度位置ｃのセンサ出力電圧ＳＶc として取込まれる。
【００５４】
次に、上述の実施例と同様に、スロットル軸１２を閉方向に回転させ、スロットルバルブ１５に固設された位置決めレバー２１を全閉位置ストッパ２２に当接させることで全閉位置ｓにする。このとき、図７に示すように、スロットル開度センサ１８からのセンサ出力電圧ＳＶ〔Ｖ〕は、全閉位置ｓに対する電圧値まで下降する。このときのセンサ出力電圧ＳＶが、全閉位置ｓに対して予め設定された上限電圧ＳＶs-Ｈ（＝０．８〔Ｖ〕）と全閉位置ｓに対して予め設定された下限電圧ＳＶs-Ｌ（＝０．６〔Ｖ〕）との範囲内にあるかが判定される。
【００５５】
ここで、センサ出力電圧ＳＶが全閉位置ｓに対する上限電圧ＳＶs-Ｈと下限電圧ＳＶs-Ｌとの範囲内にあるときには、所定期間内として時間Ｔ2 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され全閉位置ｓのセンサ出力電圧ＳＶs として取込まれる。
【００５６】
上述のように、スロットル開度センサ１８によりスロットルバルブ１５に対する設定が補償された任意の開度位置ｃにおけるセンサ出力電圧ＳＶc とスロットルバルブ１５に対する設定が補償された全閉位置ｓにおけるセンサ出力電圧ＳＶs とが取込まれることで、図８に示すような特性図が得られる。ここで、任意の開度位置ｃのセンサ出力電圧ＳＶc に対するスロットル開度ＴＡをＴＡc 〔％〕、全閉位置ｓのセンサ出力電圧ＳＶs に対するスロットル開度ＴＡを０（全閉）〔％〕とすると、センサ出力電圧ＳＶ〔Ｖ〕に対するスロットル開度ＴＡ〔％〕が次式（３）にて算出されることとなる。
【００５７】
［数３］
ＴＡ＝｛（ＳＶ−ＳＶs ）／（ＳＶc −ＳＶs ）｝×ＴＡc          ・・・（３）
【００５８】
これによれば、スロットル開度センサ１８からのセンサ出力電圧ＳＶの信頼性が向上され、このセンサ出力電圧ＳＶに基づいて得られるスロットルバルブ１５のスロットル開度ＴＡの信頼性を向上することができる。
【００５９】
このように、本変形例のセンサ出力調整方法が適用されたスロットルボデー１０は、図示しない内燃機関の吸気通路に配設され、内燃機関に供給する吸入空気量を調節するスロットルバルブ１５と、スロットルバルブ１５のスロットル開度ＴＡに係わる出力値であるセンサ出力電圧ＳＶを検出するスロットル開度センサ１８とを備えており、スロットルバルブ１５を全開位置ｏの近くに設定された第２の任意の開度位置である任意の開度位置ｃと第１の任意の開度位置である全閉位置ｓとに対応して回転させる第１の工程と、前記第１の工程による任意の開度位置ｃと全閉位置ｓとに対するスロットル開度センサ１８からのセンサ出力電圧ＳＶが、任意の開度位置ｃに対して予め設定された上下限範囲内としての上限電圧ＳＶc-Ｈと下限電圧ＳＶc-Ｌとの範囲内、全閉位置ｓに対して予め設定された上下限範囲内としての上限電圧ＳＶs-Ｈと下限電圧ＳＶs-Ｌとの範囲内にあるとき、そのセンサ出力電圧ＳＶを取込む第２の工程と、前記第２の工程で取込まれたスロットル開度センサ１８からの任意の開度位置ｃのセンサ出力電圧ＳＶc 、全閉位置ｓのセンサ出力電圧ＳＶs に基づきスロットルバルブ１５のスロットル開度ＴＡとの関係を設定する第３の工程とからなるものである。
【００６０】
つまり、スロットルバルブ１５を全開位置ｏの近くに設定された第２の任意の開度位置である任意の開度位置ｃと第１の任意の開度位置である全閉位置ｓとに対応させ回転させたときのスロットル開度センサ１８からのセンサ出力電圧ＳＶが取込まれる。この際、まず、スロットル開度センサ１８からのセンサ出力電圧ＳＶが、任意の開度位置ｃに対する上限電圧ＳＶc-Ｈと下限電圧ＳＶc-Ｌとの範囲内にあるかが判定され、次に、全閉位置ｓに対する上限電圧ＳＶs-Ｈと下限電圧ＳＶs-Ｌとの範囲内にあるかが判定される。これらを満足するときのスロットル開度センサ１８からのセンサ出力電圧ＳＶが任意の開度位置ｃのセンサ出力電圧ＳＶc 、全閉位置ｓのセンサ出力電圧ＳＶs としてそれぞれ取込まれる。そして、取込まれた任意の開度位置ｃのセンサ出力電圧ＳＶc 、全閉位置ｓのセンサ出力電圧ＳＶs に基づきスロットル開度センサ１８からのセンサ出力電圧ＳＶに対するスロットルバルブ１５のスロットル開度ＴＡとの関係（関数）が設定される。
【００６１】
このため、スロットル開度センサ１８からのセンサ出力電圧ＳＶが取込まれる際の、スロットルバルブ１５の全開位置ｏを基準とする任意の開度位置ｃ、全閉位置ｓへの設定が補償され、この任意の開度位置ｃに対するスロットル開度センサ１８からのセンサ出力電圧ＳＶc 、全閉位置ｓに対するスロットル開度センサ１８からのセンサ出力電圧ＳＶs が適切に取込まれることで、スロットルバルブ１５のスロットル開度ＴＡに係わるスロットル開度センサ１８からのセンサ出力電圧ＳＶの信頼性を向上することができ、このスロットル開度センサ１８からのセンサ出力電圧ＳＶとスロットルバルブ１５のスロットル開度ＴＡとの関係を良好に設定することができる。
【００６２】
また、上記変形例では、スロットルバルブ１５に固設された位置決めレバー２１を全開位置ストッパ２３に対して取付けられているアダプタ２４ｂで設定された任意の開度位置ｂ、次に全閉位置ストッパ２２に対して取付けられているアダプタ２４ａで設定された任意の開度位置ａに対応して回転させたときのスロットル開度センサ１８からのセンサ出力電圧ＳＶを取込んでいるが、本発明を実施する場合には、これに限定されるものではなく、例えば、図４に示す全開位置ストッパ２３に取付けられ、その全開位置ｏを基準として任意の任意の開度位置ａを設定するためのアダプタ２４ｂを使用せず最初から取外した状態で、元の全開位置ストッパ２３による全開位置ｏを用いることもできる。
【００６３】
そこで、このスロットルボデー１０を用いて、スロットルバルブ１５の回転に伴う開度位置をスロットル開度センサ１８からの出力値として取込む場合について、図９及び図１０を参照して説明する。なお、この場合には、図４において、全閉位置ｓを基準としてその近くの第１の任意の開度位置である任意の開度位置ｄを設定するためのアダプタ２４ｄ（図示略）を、アダプタ２４ａに替えて全閉位置ストッパ２２に取付けて用いることとする。
【００６４】
図９及び図１０において、まず、スロットル軸１２を開方向に回転させ、スロットルバルブ１５に固設された位置決めレバー２１を全開位置ストッパ２３に当接させることで全開位置ｏにする。このとき、図９に示すように、スロットル開度センサ１８からのセンサ出力電圧ＳＶ〔Ｖ〕は、全開位置ｏに対する電圧値まで上昇する。このときのセンサ出力電圧ＳＶが、全開位置ｏに対して予め設定された上限電圧ＳＶo-Ｈ（＝４．２〔Ｖ〕）と全開位置ｏに対して予め設定された下限電圧ＳＶo-Ｌ（＝３．８〔Ｖ〕）との範囲内にあるかが判定される。
【００６５】
ここで、センサ出力電圧ＳＶが全開位置ｏに対する上限電圧ＳＶo-Ｈと下限電圧ＳＶo-Ｌとの範囲内にあるときには、所定期間内として時間Ｔ1 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され全開位置ｏのセンサ出力電圧ＳＶo として取込まれる。
【００６６】
次に、上述の実施例と同様に、スロットル軸１２を閉方向に回転させ、スロットルバルブ１５に固設された位置決めレバー２１を全閉位置ストッパ２２に取付られたアダプタ２４ｄに当接させることで任意の開度位置ｄにする。このとき、図９に示すように、スロットル開度センサ１８からのセンサ出力電圧ＳＶ〔Ｖ〕は、任意の開度位置ｄに対する電圧値まで下降する。このときのセンサ出力電圧ＳＶが、任意の開度位置ｄに対して予め設定された上限電圧ＳＶd-Ｈと任意の開度位置ｄに対して予め設定された下限電圧ＳＶd-Ｌとの範囲内にあるかが判定される。
【００６７】
ここで、センサ出力電圧ＳＶが任意の開度位置ｄに対する上限電圧ＳＶd-Ｈと下限電圧ＳＶd-Ｌとの範囲内にあるときには、所定期間内として時間Ｔ2 （＝１〔ｓｅｃ〕）内におけるセンサ出力電圧ＳＶのばらつき幅ΔＳＶが所定値（＝０．０２〔Ｖ〕）以内にあるかが判定される。このばらつき幅ΔＳＶが所定値以内にあるときには、このときのセンサ出力電圧ＳＶが平均化され任意の開度位置ｄのセンサ出力電圧ＳＶd として取込まれる。
【００６８】
上述のように、スロットル開度センサ１８によりスロットルバルブ１５に対する設定が補償された全開位置ｏにおけるセンサ出力電圧ＳＶo とスロットルバルブ１５に対する設定が補償された任意の開度位置ｄにおけるセンサ出力電圧ＳＶd とが取込まれることで、図１０に示すような特性図が得られる。ここで、全開位置ｏのセンサ出力電圧ＳＶo に対するスロットル開度ＴＡを１００（全開）〔％〕、任意の開度位置ｄのセンサ出力電圧ＳＶd に対するスロットル開度ＴＡをＴＡd 〔％〕とすると、センサ出力電圧ＳＶ〔Ｖ〕に対するスロットル開度ＴＡ〔％〕が次式（４）にて算出されることとなる。
【００６９】
［数４］
ＴＡ＝｛（ＳＶ−ＳＶd ）／（ＳＶo −ＳＶd ）｝×（１００−ＴＡd ）＋ＴＡd 
・・・（４）
【００７０】
これによれば、スロットル開度センサ１８からのセンサ出力電圧ＳＶの信頼性が向上され、このセンサ出力電圧ＳＶに基づいて得られるスロットルバルブ１５のスロットル開度ＴＡの信頼性を向上することができる。
【００７１】
このように、本変形例のセンサ出力調整方法が適用されたスロットルボデー１０は、図示しない内燃機関の吸気通路に配設され、内燃機関に供給する吸入空気量を調節するスロットルバルブ１５と、スロットルバルブ１５のスロットル開度ＴＡに係わる出力値であるセンサ出力電圧ＳＶを検出するスロットル開度センサ１８とを備えており、スロットルバルブ１５を第２の任意の開度位置である全開位置ｏと全閉位置ｓの近くに設定された第１の任意の開度位置である任意の開度位置ｄとに対応して回転させる第１の工程と、前記第１の工程による全開位置ｏと任意の開度位置ｄとに対するスロットル開度センサ１８からのセンサ出力電圧ＳＶが、全開位置ｏに対して予め設定された上下限範囲内としての上限電圧ＳＶo-Ｈと下限電圧ＳＶo-Ｌとの範囲内、任意の開度位置ｄに対して予め設定された上下限範囲内としての上限電圧ＳＶd-Ｈと下限電圧ＳＶd-Ｌとの範囲内にあるとき、そのセンサ出力電圧ＳＶを取込む第２の工程と、前記第２の工程で取込まれたスロットル開度センサ１８からの全開位置ｏのセンサ出力電圧ＳＶo 、任意の開度位置ｄのセンサ出力電圧ＳＶd に基づきスロットルバルブ１５のスロットル開度ＴＡとの関係を設定する第３の工程とからなるものである。
【００７２】
つまり、スロットルバルブ１５を第２の任意の開度位置である全開位置ｏと全閉位置ｓの近くに設定された第１の任意の開度位置である任意の開度位置ｄとに対応させ回転させたときのスロットル開度センサ１８からのセンサ出力電圧ＳＶが取込まれる。この際、まず、スロットル開度センサ１８からのセンサ出力電圧ＳＶが、全開位置ｏに対する上限電圧ＳＶo-Ｈと下限電圧ＳＶo-Ｌとの範囲内にあるかが判定され、次に、任意の開度位置ｄに対する上限電圧ＳＶd-Ｈと下限電圧ＳＶd-Ｌとの範囲内にあるかが判定される。これらを満足するときのスロットル開度センサ１８からのセンサ出力電圧ＳＶが全開位置ｏのセンサ出力電圧ＳＶo 、任意の開度位置ｄのセンサ出力電圧ＳＶd としてそれぞれ取込まれる。そして、取込まれた全開位置ｏのセンサ出力電圧ＳＶo 、任意の開度位置ｄのセンサ出力電圧ＳＶd に基づきスロットル開度センサ１８からのセンサ出力電圧ＳＶに対するスロットルバルブ１５のスロットル開度ＴＡとの関係（関数）が設定される。
【００７３】
このため、スロットル開度センサ１８からのセンサ出力電圧ＳＶが取込まれる際の、スロットルバルブ１５の全開位置ｏ、全閉位置ｓを基準とする任意の開度位置ｄへの設定が補償され、この全開位置ｏに対するスロットル開度センサ１８からのセンサ出力電圧ＳＶo 、任意の開度位置ｄに対するスロットル開度センサ１８からのセンサ出力電圧ＳＶd が適切に取込まれることで、スロットルバルブ１５のスロットル開度ＴＡに係わるスロットル開度センサ１８からのセンサ出力電圧ＳＶの信頼性を向上することができ、このスロットル開度センサ１８からのセンサ出力電圧ＳＶとスロットルバルブ１５のスロットル開度ＴＡとの関係を良好に設定することができる。
【００７４】
なお、上記実施例や変形例では、スロットルボデー１０におけるスロットルバルブ１５が固設されたスロットル軸１２を手動にて回転させスロットル開度センサ１８からのセンサ出力電圧ＳＶを取込む場合について説明したが、本発明を実施する場合には、これに限定されるものではなく、図１１に示すように、例えば、２輪車の場合には、スロットルバルブ１５にワイヤ（図示略）で連結されているアクセルグリップ３１に、連結治具４１を介してステップモータ４０を取付け、このステップモータ４０を駆動回路（図示略）にて回転させ、スロットルバルブ１５の開度位置を第１の任意の開度位置またはそれと異なる第２の任意の開度位置に設定させるようにして、そのときのスロットル開度センサ１８からのセンサ出力電圧ＳＶを取込むようにしても、同様の作用効果が期待できる。
【００７５】
また、アクセル操作量等に応じて電動モータを駆動しスロットル軸を回転させスロットルバルブのスロットル開度を制御する所謂、電子スロットルシステムにおけるスロットル開度センサからのセンサ出力電圧を取込む場合にも同様に適用することができる。
【図面の簡単な説明】
【００７６】
【図１】図１は本発明の一実施例にかかるセンサ出力調整方法が適用されたスロットルボデーを示す概略構成図である。
【図２】図２は図１におけるスロットルバルブの開閉に伴うスロットル開度センサからのセンサ出力電圧の遷移状態を示すタイムチャートである。
【図３】図３は図２によるセンサ出力電圧とスロットル開度との関係を示す特性図である。
【図４】図４は本発明の一実施例にかかるセンサ出力調整方法が適用されたスロットルボデーでスロットルバルブに対する開度位置の調整にアダプタを用いた変形例を示す概略構成図である。
【図５】図５は図４におけるスロットルバルブの開閉に伴うスロットル開度センサからのセンサ出力電圧の遷移状態を示すタイムチャートである。
【図６】図６は図５によるセンサ出力電圧とスロットル開度との関係を示す特性図である。
【図７】図７は図４のスロットルボデーでスロットルバルブに対する開度位置の調整にアダプタを用いた他の変形例におけるスロットルバルブの開閉に伴うスロットル開度センサからのセンサ出力電圧の遷移状態を示すタイムチャートである。
【図８】図８は図７によるセンサ出力電圧とスロットル開度との関係を示す特性図である。
【図９】図９は図４のスロットルボデーでスロットルバルブに対する開度位置の調整にアダプタを用いた更に他の変形例におけるスロットルバルブの開閉に伴うスロットル開度センサからのセンサ出力電圧の遷移状態を示すタイムチャートである。
【図１０】図１０は図９によるセンサ出力電圧とスロットル開度との関係を示す特性図である。
【図１１】図１１は本発明の一実施例にかかるセンサ出力調整方法が適用された２輪車のスロットルボデーのスロットルバルブに対する開度位置の調整にステップモータを用いた変形例を示す概略構成図である。
【符号の説明】
【００７７】
１０  スロットルボデー
１５  スロットルバルブ
１８  スロットル開度センサ
【図１】
2006022805.tif 000003
【図２】
2006022805.tif 000004
【図３】
2006022805.tif 000005
【図４】
2006022805.tif 000006
【図５】
2006022805.tif 000007
【図６】
2006022805.tif 000008
【図７】
2006022805.tif 000009
【図８】
2006022805.tif 000010
【図９】
2006022805.tif 000011
【図１０】
2006022805.tif 000012
【図１１】
2006022805.tif 000013